(57)【特許請求の範囲】
【請求項１】
地中に埋設される樹脂製タンクの浮上及び変形防止構造であって、
タンク本体の底部を二重構造にして中空部が形成されており、
前記タンク本体の側壁に周方向へ適当間隔を隔てて配設され、かつ、長手方向へ延びる複数の連通管が前記タンク本体と一体的に設けられ、
前記連通管の下端部は前記中空部に連通し、上端部は前記タンク本体の上端近傍位置に開口しており、かつ、前記連通管に前記上端開口から外方へ延びる鉄筋が差し込まれていて、
前記樹脂製タンクを地中に埋設する際、前記連通管の上端開口からモルタル又は生コンクリートなどの液状充填物を注入し、前記中空部及び前記連通管に充填して固化させると共に、前記連通管に充填した前記液状充填物が、前記鉄筋の前記上端開口から外方へ延びる延長部分を介して、前記タンク本体の上方に打設される上部スラブと一体化されていることを特徴とする樹脂製タンクの浮上及び変形防止構造。
【発明の詳細な説明】
【０００１】
【発明の属する技術分野】
本発明は、地中に埋設される浄化槽、水タンク等の樹脂製タンクの浮上及び変形防止構造に関するものである。
【０００２】
【従来の技術】
地中に埋設される地下タンクが地下水や砂の流動化現象等によって浮上するおそれがあることは良く知られているところである。特に、樹脂製タンクのように軽量材料で製造されたタンクの場合にその傾向が著しい。
【０００３】
従来、樹脂製タンクの浮上防止構造について、タンクの外側壁に半径方向に突出するフランジを設け、タンク底部に半径方向に突出する複数のつばを設け、タンクの埋設時に、タンクの外側に投入して打設されるソイルセメント（コンクリート）の重量をウエイト（重り）として、前記フランジ及びつばに印加し、タンクの浮上を防止するようにしたものは知られている（実開平５−４６７９８号公報参照）。
【０００４】
【発明が解決しようとする課題】
しかし、上記従来の浮上防止構造は、タンクの外側に投入して打設されるソイルセメント（コンクリート）の重量を浮上防止のウエイトに利用しているので、地下水位が高い場所にタンクを埋設する場合、埋設予定穴を掘削した時点で湧水が穴に溜まるため、ソイルセメントを投入する前にタンクが浮き上がり、埋設作業が不可能である。
【０００５】
また、このようにタンクの外側に打設するコンクリート等を浮上防止に利用するものでは、タンク埋設後に、土圧や水圧によってタンクの底部及び側壁が変形するおそれがあった。
【０００６】
本発明は、上記従来の問題点に鑑みてなされたものであり、タンク自体に浮上を防止するウエイト（重り）となる液状充填物を注入する構造を採用することで、地下水等の浮力によるタンクの浮上を確実に防止でき、しかもタンク自体の強度を増し、土圧や水圧によるタンクの底部及び側壁の変形、破損を有効に防止することができる樹脂製タンクの浮上及び変形防止構造を提供することを目的とする。
【０００７】
【課題を解決するための手段】
上記目的を達成するため、本発明は、地中に埋設される樹脂製タンクの浮上及び変形防止構造であって、タンク本体の底部を二重構造にして中空部が形成されており、前記タンク本体の側壁に周方向へ適当間隔を隔てて配設され、かつ、長手方向へ延びる複数の連通管が前記タンク本体と一体的に設けられ、前記連通管の下端部は前記中空部に連通し、上端部は前記タンク本体の上端近傍位置に開口しており、かつ、前記連通管に前記上端開口から外方へ延びる鉄筋が差し込まれていて、前記樹脂製タンクを地中に埋設する際、前記連通管の上端開口からモルタル又は生コンクリートなどの液状充填物を注入し、前記中空部及び前記連通管に充填して固化させると共に、前記連通管に充填した前記液状充填物が、前記鉄筋の前記上端開口から外方へ延びる延長部分を介して、前記タンク本体の上方に打設される上部スラブと一体化されていることを特徴とする。
【０００８】
上記構成により、二重構造にした底部の前記中空部と前記各連通管に充填した液状充填物でタンク自体の重量が増大し、浮上が防止されると共に、タンク本体の底部及び側壁が補強される。特に、前記各連通管に充填された液状充填物が、各連通管に差し込んだ鉄筋の延長部分を介して、タンク本体の上部に打設される上部スラブと一体化され、タンク本体の外側壁を補強する支柱が形成されるので、タンク上部にかかる荷重に対する耐荷重性が大幅に向上する。
【０００９】
【発明の実施の形態】
以下、本発明の好適な実施の形態を図面に基づいて説明する。
【００１０】
図１及び図２は、本発明による浮上及び変形防止構造を備えた樹脂製タンク１を示している。該樹脂製タンク１は、タンク本体２と、該タンク本体２の外周側壁に周方向へ９０度ずつ隔てて配設され、かつ、タンク本体２の軸線とほぼ平行に長手方向へ延びる４本の連通管３とから構成されている。
【００１１】
タンク本体２は強化プラスチック（ＦＲＰ）により円筒状体に成形され、底部を二重構造にして中空部４が形成されていると共に、中空部４の外周壁に連通管３が連通する開口５が設けられている。また、タンク本体２の上端部には横断面形状が長方形に形成されている供給口７が覆い部６より突出して設けられている。中空部４は、タンク１全体を地中に埋設したときに想定される浮力に対抗できる重量のコンクリートが充填可能な容積に設計されている。
【００１２】
連通管３はタンク本体２と同様に強化プラスチック（ＦＲＰ）により横断面半円形状の管体に成形されていて、タンク本体２の外周側壁面に添う円弧状壁８を有している。各連通管３は、下端部９が中空部４の開口５に連通するように配設され、円弧状壁８をタンク本体２の外周側壁に接着剤で固着し、タンク本体２と一体構造に形成されている。また、各連通管３の上端開口１０はタンク本体２の覆い部６より上方へ延び、供給口７より若干下方に位置するように設計されている。これは、タンク１を地中に埋設する際、後述するように、タンク１の上方に打設される上部スラブ１５と各連通管３を一体化させるためである。
【００１３】
なお、図５に示すように、連通管３はタンク本体２と一体成形することも可能である。
【００１４】
上記のような構成を有する樹脂製タンク１を地中に埋設する際、予め各連通管３にその全長より少し長め（少なくとも２０ｃｍ程度）の鉄筋１１を数本ずつ差し込んで、上端開口１０から突出する延長部分１１ａを横方向へ折り曲げておくことが望ましい。これらの鉄筋１１は、各連通管３を補強し、かつ上部スラブ１５との結合を強固にするために設けられるものである。
【００１５】
図３及び図４は、樹脂製タンク１を地中に埋設した状態を示している。該タンク１は先ず、埋設予定穴１２の底部に敷設した下部スラブ１３に設置される。この状態で４本の連通管３のうち１本を残し、他の３本の連通管３の上端開口１０からモルタル又は生コンクリートなどの液状充填物１４を一斉に注入し、下端の開口５を通じて二重底部構造の中空部４に充填する。このとき、液状充填物１４を注入しない連通管３は空気抜き通路となる。そして、中空部４全体に液状充填物１４が充填されたことを確認した後、各連通管３にも液状充填物１４を充填する。充填された液状充填物１４は固化して、タンク本体２及び連通管３と一体化された構造体となり、その重量がタンク１の浮上を防止するウェイト（重り）として作用すると共に、タンク本体２の二重構造に形成された底部が補強される。また、各連通管３に充填した液状充填物１４が鉄筋１１を巻き込んで固化されることで、タンク本体２の外周側壁を補強する支柱の役割を果す。
【００１６】
続いて、埋設した樹脂製タンク１の上部に上部スラブ１５を打設すると、該上部スラブ１５が各連通管３の上端開口１０から延出している鉄筋延長部分１１ａを巻き込んで、各連通管３に充填した液状充填物１４で形成される支柱と一体化され、該支柱によって上部スラブ１５が支持された構造となる。したがって、樹脂製タンク１の上部に該樹脂製タンク１自体の耐荷重以上の負荷が作用しても、その負荷は上部スラブ１５に分散されると共に、前記支柱で支持されるので、タンク１の変形、破損を有効に防止することができる。
【００１７】
なお、地下水位の高い場所に埋設予定穴１２を掘削すると、埋設予定穴１２に湧水が溜まるが、このような埋設予定穴１２にタンク１を設置する場合、タンク本体２の底部が二重構造に形成されているので、下部スラブ１３に接する外側底板が水圧等で変形しても、内側底板にはほとんど影響を及ぼさない。したがって、タンク本体２内部の使用容積が減少することはない。
【００１８】
【発明の効果】
以上説明したように、本発明は、タンク本体の底部を二重構造にして形成した中空部と、タンク本体の外側壁に沿って配設した複数の連通管とに、浮上を防止するウェイト（重り）になる液状充填物を注入して充填することにより、地下水や砂の流動化現象等による樹脂製タンクの浮上を確実に防止できると共に、充填した液状充填物によってタンク自体の強度が増し、土圧や水圧によるタンク本体の底部及び側壁の変形、破損を有効に防止することができ、特に、複数の連通管に充填された液状充填物が、各連通管に差し込んだ鉄筋の延長部分を介して、タンク本体の上方に打設される上部スラブと一体化され、タンク本体の外側壁を補強する支柱が形成されるので、タンク上部にかかる荷重に対する耐荷重性が大幅に向上する。
【図面の簡単な説明】
【図１】本発明の浮上及び変形防止構造を備えた樹脂製タンクの一部縦断正面図である。
【図２】同タンクの平面図である。
【図３】同タンクの埋設施工状態を示す一部縦断正面図である。
【図４】同タンクの埋設施工状態を示す平面図である。
【図５】本発明の浮上及び変形防止構造を備えた樹脂製タンクの別の実施形態を示す一部縦断正面図である。
【符号の説明】
１  樹脂製タンク
２  タンク本体
３  連通管
４  中空部
５  開口
６  覆い部
７  供給口
８  円弧状壁
９  下端部
１０  上部開口
１１  鉄筋
１２  埋設予定穴
１３  下部スラブ
１４  液状充填物
１５  上部スラブ
【図１】
0003625743.tif 000002
【図２】
0003625743.tif 000003
【図３】
0003625743.tif 000004
【図４】
0003625743.tif 000005
【図５】
0003625743.tif 000006